(57)【要約】      （修正有）【課題】本発明は、即時使用可能な殺有害生物剤組成物を分配するための柔軟性容器に関する。【解決手段】手でつかみ、殺有害生物剤塗布領域の近くに位置合わせし、強く握って柔軟性パッケージ１８の開口または分配口３０を介して即時使用可能な殺有害生物剤組成物１２を制御可能であるように押し出す。このとき、即時使用可能な半固体流動性殺有害生物剤組成物１２を充填した柔軟性パッケージ１８を利用する。これにより、殺有害生物剤組成物１２の分配を片手で行って、製品を制御して個別的に配置することができ、暗く狭い割れ目および裂け目などの届きにくい領域に殺有害生物剤組成物１２を塗布することができる。【選択図】  図１
2006230412.tif 000002
【特許請求の範囲】
【請求項１】
即時使用可能な殺有害生物剤組成物を分配する方法であって、
（ａ）即時使用可能な殺有害生物剤組成物のための開口を有する柔軟性容器を手でつかむ工程を含み、前記柔軟性容器には前記即時使用可能な殺有害生物剤組成物が入っており、前記殺有害生物剤組成物が少なくとも約２５，０００ｃｐｓの粘性を有し、半固体流動性組成物の形態であり、前記方法は、さらに
（ｂ）前記柔軟性容器の前記開口を殺有害生物剤塗布領域の近くに位置合わせする工程と、
（ｃ）前記柔軟性容器を強く握って前記開口を介して前記塗布領域に前記殺有害生物剤組成物を押し出す工程とを含む方法。
【請求項２】
前記柔軟性容器をつかんでいる手の指で前記開口から前記殺有害生物剤組成物を操作する工程をさらに含む請求項１に記載の方法。
【請求項３】
前記柔軟性容器の前記開口の近くに配置したポケット内に前記指を位置合わせする工程をさらに含む請求項２に記載の方法。
【請求項４】
前記柔軟性容器が使い捨てであり、かつ１以上のポリマーフィルムシートから形成される請求項１に記載の方法。
【請求項５】
前記柔軟性容器のコーナを除去することによって前記柔軟性容器に前記開口を形成する工程をさらに含む請求項４に記載の方法。
【請求項６】
前記コーナが、前記容器の一点に集まる二つの端縁の交点の近くに配置される請求項５に記載の方法。
【請求項７】
前記一点に集まる端縁が９０度未満の角度を形成する請求項６に記載の方法。
【請求項８】
前記柔軟性容器の周囲が、三角形、長方形、平行四辺形、台形、ひし形、五角形、および曲がった多角形からなるグループから選択される形状である請求項５に記載の方法。
【請求項９】
前記柔軟性容器が、前記殺有害生物剤組成物が配置された状態で、フィンシームおよび端部に沿って密封された一つのポリマーフィルムシートを含む請求項５に記載の方法。
【請求項１０】
前記殺有害生物剤組成物が約７４，７００〜１，５２０，０００ｃｐｓの粘性を有する請求項１に記載の方法。
【請求項１１】
前記殺有害生物剤組成物が、溶媒および増粘剤またはゲル化剤で使用濃度に希釈された活性成分を含む請求項１に記載の方法。
【請求項１２】
前記殺有害生物剤組成物が、溶媒、食品成分、および増粘剤またはゲル化剤で使用濃度に希釈された活性成分を含む請求項１に記載の方法。
【請求項１３】
前記殺有害生物剤組成物を前記塗布領域の個別的な位置に分配できるように、前記開口が約０．３４４インチ（０．８７４ｃｍ）以下の直径を有する請求項１に記載の方法。
【請求項１４】
（ａ）内室を定める少なくとも一つの壁と、内室に流動的に連通する分配口とを含む操作者が手でつかめる大きさの柔軟性パッケージと、
（ｂ）前記柔軟性パッケージの前記内室に配置された、少なくとも約２５，０００ｃｐｓの粘性を有し、半固体流動性組成物の形態である即時使用可能な殺有害生物剤組成物とを含む即時使用可能な殺有害生物剤組成物用容器。
【請求項１５】
前記殺有害生物剤組成物が約７４，７００〜１，５２０，０００ｃｐｓの粘性を有する請求項１４に記載の容器。
【請求項１６】
操作者がパッケージを手でつかみながら前記分配口の近くに前記手の指を配置することができるように、前記柔軟性パッケージに前記分配口が配置される請求項１４に記載の容器。
【請求項１７】
前記柔軟性パッケージが前記分配口の近くに配置された外部ポケットをさらに含み、前記操作者が前記パッケージを手でつかみながら前記手の指をポケット内に入れることができる請求項１６に記載の容器。
【請求項１８】
前記柔軟性パッケージが、使い捨てであり、フィンシームおよび端部に沿ってヒートシールされた一つのポリマーフィルムシートから形成される請求項１４に記載の容器。
【請求項１９】
前記柔軟性パッケージが、前記柔軟性パッケージの周囲に配置された複数の端縁を含み、一点に集まる二つの端縁の交点の近くで前記柔軟性パッケージからコーナを除去することによって前記柔軟性パッケージの前記分配口が開けられる請求項１４に記載の容器。
【請求項２０】
前記一点に集まる端縁が９０度未満の角度を形成する請求項１９に記載の容器。
【請求項２１】
前記一点に集まる端縁が約６０度の角度を形成する請求項２０に記載の容器。
【請求項２２】
前記柔軟性パッケージの周囲が、三角形、長方形、平行四辺形、台形、ひし形、五角形、および曲がった多角形からなるグループから選択される形状である請求項１９に記載の容器。
【請求項２３】
前記柔軟性パッケージの周囲が平行四辺形の形状である請求項１９に記載の容器。
【請求項２４】
前記一点に集まる端縁が分配口の近くで導管を形成しない請求項１９に記載の容器。
【請求項２５】
前記分配口が約０．３４４インチ（０．８７４ｃｍ）以下の直径を有する請求項１４に記載の容器。
【請求項２６】
前記殺有害生物剤組成物が、溶媒および増粘剤またはゲル化剤で使用濃度に希釈された活性成分を含む請求項１４に記載の容器。
【請求項２７】
前記殺有害生物剤組成物が、溶媒、食品成分、および増粘剤またはゲル化剤で使用濃度に希釈された活性成分を含む請求項１４に記載の容器。
【発明の詳細な説明】
【技術分野】
【０００１】
発明の分野
本発明は、有害生物管理のために即時使用可能な殺有害生物剤（ｒｅａｄｙ−ｔｏ−use pesticides）を分配するための容器および方法に関する。特に、本発明は、濃い粘性半固体流動性組成物の形態である即時使用可能な殺有害生物剤を手で分配するための容器および方法に関する。
【背景技術】
【０００２】
発明の背景
従来の有害生物管理技術は、液体を広い範囲にスプレーすることに依拠しており、殺有害生物剤濃縮物を希釈して液体形態にし、領域にスプレーして有害生物を防除する。しかし、広い範囲のスプレーは、殺有害生物剤を堆積させる特に正確な形態ではなく、過度のスプレー（すなわち、むだな製品）をもたらし、所望のスプレー領域内（外）の製品の配置がより個別的でないことが多い。
【０００３】
多くのこれらの問題に基づいて、有害生物管理技術は、濃縮物の希釈形態の広い範囲のスプレーから、「即使用可能な」殺有害生物剤（たとえば、毒餌、忌避剤、および接触に基づいた殺有害生物剤）のより個別的な配置へ移ろうとしている。望ましい即使用可能な殺有害生物剤は、有害生物管理において効果的であるために、耐久性があり、物理的化学的に安定していなければならない。さらに、殺有害生物剤毒餌は、効果的な有害生物管理のために、有害生物を引き寄せ、有害生物にとっておいしいものでなければならない。
【０００４】
また、即使用可能な殺有害生物剤の分配が正確であり、操作者にとって分配しやすいことも重要である。実際、限られたアクセスで狭い領域、隠れた領域および／または暗い領域（すなわち、「割れ目および裂け目」）への分配を容易にするために、操作者が即使用可能な殺有害生物剤を片手で分配できることが特に望ましい。
【０００５】
いくつかの即使用可能な殺有害生物剤（たとえば、ゲルまたはペースト形態で供給されるもの）は、注入器またはコーキン型銃で分配されている。他の即時使用可能な殺有害生物剤（たとえば、粉末またはダスト形態で供給されるもの）は、チューブ状または球状ディスペンサーで分配されている。しかし、別個のディスペンサーは割れ目および裂け目などに使用しにくいことが多く、有害生物管理システム全体のコストをさらに増す。
【０００６】
また、多くのディスペンサーは、より濃いゲルおよびペーストを分配するのに必要な力により、比較的低粘性の液体殺有害生物剤組成物および粉末殺有害生物剤組成物の分配に限られている。より濃いゲルおよびペーストは、より大きくかさばったディスペンサーを必要とするか、操作者にとって、やっかいで身体的に疲れるものとなるであろう。より大きく強力なディスペンサーは、一般に対費用効果がよくなく、割れ目および裂け目に使用しにくいことが多い。また、より強力なディスペンサーは、分配操作後、しばらく分配が続き、製品がむだになるであろう。
【０００７】
しかし、より濃い半固体流動性組成物で供給される、いくつかの即使用可能な殺有害生物剤は、ゴキブリなどの有害生物にとって、よりおいしいものであるので、より低粘性の液体および粉末よりも効果的であることが多いことがわかっている。たとえば、いくつかの即使用可能な殺有害生物剤は、ペースト形態で利用でき、槽状容器で供給される。即使用可能な殺有害生物剤ペーストは、手袋をはめた手で、またはパテナイフを用いて手で分配される。しかし、即使用可能な殺有害生物剤ペーストをこのように使用すると、汚くなり、操作者の手袋および衣類がかなり汚れることがある。これは、重大な環境および安全問題であり、また顧客には職業的操作者が汚く、あまり優れていないように見えるだろう。さらに、即使用可能な殺有害生物剤ペーストは、個別的に配置しにくく、製品の過度の塗布、槽容器ならびに操作者の手袋および衣類が汚れることにより、かなりの量の製品がむだになることが多い。
【０００８】
従来のディスペンサー、たとえば液体または粉末殺有害生物剤を分配するのに使用されるディスペンサーは、このタイプのペースト組成物を分配するのに適していない。たとえば、デービス(Davis)に付与された米国特許第5,169,251号明細書は、様々な液体または粉末組成物用のディスペンサーに関する。このディスペンサーは、本質的に、操作者の手にはめる手袋であり、操作者の手のひらで強く握られるように配置された包みを含む。粉末材料は、一つの実施の形態の手のひら側の穴を介して分配される。他の実施の形態では、代わりに液体材料を指先に通じている狭い導管を介して分配してもよい。
【０００９】
デービスのディスペンサーで使用できるものとして、液体ならびに粉末殺有害生物剤および忌避剤を含めて、様々な食品製品、個人ケア製品、家庭製品などが挙げられる。これらのタイプのディスペンサーの一つの利点は、片手での操作、および指先の近くに（少なくとも液体材料用の）分配口を配置することにより、比較的個別的に制御して製品を配置できることである。しかし、これらのディスペンサーは、比較的複雑であり、製造しにくく、製造コストがかかるであろう。
【００１０】
さらに、デービスのディスペンサーは、濃い半固体流動性組成物の分配用に設計されていない。デービス特許に示されている導管は、比較的低粘性（たとえば、約２０，０００ｃｐｓ以下）の液体しか分配できない。デービスのディスペンサーは、濃い半固体流動性組成物を狭い導管を介して分配するのに必要な高圧に耐えるように構成されていない。また、より濃い組成物を狭い導管を介して分配するのに必要な過度の労力から、望まれない操作者の疲労が生じる。
【００１１】
したがって、この技術においては、より効果的な即使用可能な濃い半固体流動性殺有害生物剤組成物を、制御して、個別的に、対費用効果がよいように分配するという正確かつ経済的な態様が実質的に必要である。さらに、この技術においては、容易かつ簡単に用いられる即時使用可能な殺有害生物剤組成物を分配する態様が実質的に必要である。
【特許文献１】米国特許第5,169,251号明細書
【発明の開示】
【発明が解決しようとする課題】
【００１２】
発明の開示
本発明は、即時使用可能な濃い半固体流動性殺有害生物剤組成物を充填した柔軟性パッケージを、手でつかみ、殺有害生物剤塗布領域の近くに位置合わせし、強く握って、柔軟性パッケージの開口を介して殺有害生物剤塗布領域に殺有害生物剤組成物を制御可能であるように押し出す、即時使用可能な殺有害生物剤を分配するための容器および方法を提供することにより、先行技術に付随する前記および他の問題に対処する。
【課題を解決するための手段】
【００１３】
本発明の好ましい実施の形態で使用される柔軟性パッケージは、対費用効果がよく簡便な容器であり、片手で分配するのに適している。したがって、有害生物が集まる割れ目および裂け目に殺有害生物剤を塗布できる。さらに、操作者が柔軟性パッケージから殺有害生物剤を分配するのに過度の力を必要としないので、操作者が疲れずに、簡単かつ容易な態様で殺有害生物剤を分配することができる。さらに、柔軟性パッケージは、片手で、制御して個別的に製品を配置することができ、好ましい実施の形態において、分配時に製品の位置をよりうまく導くために同じ手の指を使用することができる。
【００１４】
したがって、本発明の一つの態様によれば、即時使用可能な殺有害生物剤組成物を分配する方法が提供される。この方法は、即時使用可能な殺有害生物剤組成物のための開口を有する柔軟性容器を手でつかむ工程を含み、柔軟性容器には、即時使用可能な殺有害生物剤組成物が入っており、殺有害生物剤組成物が少なくとも約２５，０００ｃｐｓの粘性を有する濃い半固体流動性組成物の形態であり、この方法はさらに、柔軟性容器の開口を殺有害生物剤塗布領域の近くに位置合わせする工程と、柔軟性容器を強く握って開口を介して塗布領域に殺有害生物剤組成物を押し出す工程とを含む。
【００１５】
本発明の別の態様によれば、内室を定める少なくとも一つの壁と内室に流動的に連通する分配口とを含む操作者が手でつかめる大きさの柔軟性パッケージと、柔軟性パッケージの内室に配置された、少なくとも約２５，０００ｃｐｓの粘性を有する濃い半固体流動性組成物の形態である即使用可能な殺有害生物剤組成物とを含む即時使用可能な殺有害生物剤組成物用容器が提供される。
【００１６】
本発明の特徴となる、これらおよび他の利点および特徴は、本件に添えた本件のさらなる部分を構成するクレームに詳述する。しかし、本発明ならびに本発明の使用により達成される目的および利点をよりよく理解するために、図面、および本発明の好ましい実施の形態を説明してある下記の記述事項を参照すべきである。
【００１７】
図面の簡単な説明
図１は、本発明の原理と一致する好ましい即時使用可能な殺有害生物剤容器の平面図である。
図２は、図１の容器の使用を示す側面図である。
図３は、本発明の原理と一致する別の殺有害生物剤容器の部分斜視図であり、殺有害生物剤容器に配置された外部ポケットを示す。
図４は、本発明の原理と一致する別の殺有害生物剤容器の部分底面図であり、容器を開けるための取り外しできるクロージュアを示す。
図５ａ〜図５ｆは、本発明の原理と一致する付加的な殺有害生物剤容器の平面図であり、いくつかの代替的な形状を示す。図５ａは、三角形の容器を示し、図５ｂは、長方形の容器を示し、図５ｃは、台形の容器を示し、図５ｄは、ひし形の容器を示し、図５ｅは、五角形の容器を示し、図５ｆは、曲がった多角形の容器を示す。
図６は、本発明の原理と一致する別の殺有害生物剤容器の平面図を示し、一つのフィルムシートがフィンシームで密封されている。
【発明を実施するための最良の形態】
【００１８】
好ましい実施の形態の詳細な説明
図面について説明すると、いくつかの図を通して同類の部分が同類の番号で示されている。図１は、本発明の原理と一致する即時使用可能な殺有害生物剤用柔軟性容器１０を示す。容器１０は、一般に、柔軟性パッケージ１８内に入っている殺有害生物剤組成物１２を含む。
【００１９】
殺有害生物剤組成物１２は、好ましくは、少なくとも約２５，０００ｃｐｓの粘性を有し、粘性半固体流動性組成物であり、より好ましくは、約７４，７００〜１，５２０，０００ｃｐｓの粘性を有する濃い粘性半固体流動性組成物である。約７４，７００〜１，５２０，０００ｃｐｓの粘性は、本発明で使用するのに適している、いくつかの市販の殺有害生物剤組成物の粘性範囲である。しかし、以下で説明するように、容器の分配口の大きさを変えることにより、より広い範囲の粘性が好ましい容器で使用するのに適しているであろう。
【００２０】
本発明で使用する殺有害生物剤組成物の粘性を決定するにおいて、以下の手順を行うことが好ましい。３−１／２インチ（８．９ｃｍ）直径ストレートウォールコンテナに２−１／２インチ（６．４ｃｍ）の深さまで殺有害生物剤組成物を加える。ブルックフィールドＤＶ−Ｉ＋ビスコメータ(Brookfield DV-I+Viscometer)に挿入されたブルックフィールドＴバースピンドル（典型的には、粘性の範囲によってＡ、ＣまたはＥスピンドル）を用いて組成物の粘性を測定する。組成物表面下１／４インチ（０．６４ｃｍ）の最初の深さにスピンドルを設定する。
【００２１】
３０秒間に７／１６インチ（１．１１ｃｍ）の組成物へのダイブ速度で、スピンドルを毎分１０回転させながら、組成物をせん断し、粘性を測定する。ダイブは、ブルックフィールドヘリパススタンドモデルＤ(Brookfield Helipath Stand Model D)によって行われる。組成物の粘性は、ブルックフィールドＤＶ−Ｉ＋ビスコメータのディジタルディスプレイに示される。組成物サンプルの粘性は、好ましくは３回測定し、平均値を組成物の粘性として報告する。
【００２２】
殺有害生物剤組成物１２は、好ましくは即時使用可能な組成物である。即時使用可能な殺有害生物剤組成物は、直接塗布に適しており、また、家または他の建物のゴキブリなどの有害生物が集まる領域、特に割れ目および裂け目に使用するのに適している。
【００２３】
前記のように、本発明は、有害生物にとって特においしいものであることがわかっている濃い半固体流動性組成物の分配に関する。したがって、本発明で使用するのに適している組成物は、一般に、適切なテクスチャーおよび粘性、たとえばペースト、ゲル、エマルジョン、懸濁液、ろうなどの形態に調合することができる殺有害生物剤（たとえば、殺虫剤、殺そ剤、殺鳥剤(avicide)など）であってもよい。また、低流動性によって、または乾燥もしくは化学反応後に「開始する」能力によって、殺有害生物剤組成物が表面に塗布された時にその形状を維持できることが好ましい。
【００２４】
本発明で使用するのに適している殺有害生物剤組成物は、典型的には、活性成分または殺作用剤と、適切な引き寄せる性質、耐久性、安定性、おいしさ、粘性などを組成物に提供する不活性成分とを含む。活性成分の例としては、下記の分類の殺虫剤の化合物がある。
【００２５】
１−有機リン酸塩類(organophosphates)、たとえばアセフェート(acephate)、クロルピリフォス(chlorpyrifos)、またはダイアジノン ２−鉱酸類およびそれらの塩類、たとえばホウ酸 ３−カルバメート類(carbamates)、たとえばプロポクサー(propoxur)またはベンジオカーブ(bendiocarb) ４−ピレトロイト類(pyrethroids)、たとえばシフルトリン(cyfluthrin) ５−アミジノヒドラゾン類(amidinohydrazones)、たとえばヒドラメチルノン(hydramethylnon) ６−アベルメクチン類(avermectins)、たとえばアバメクチン(abamectin) ７−塩素化炭化水素類、たとえばリンデン、ならびに前記化合物と既知の共力剤との組み合わせ、たとえばカルバメート類またはピレトロイド類、たとえばベンジオカーブをピペロニルブトキシドと組み合わせてもよい。
【００２６】
殺そ剤については、活性成分の例として、ジファシノン(diphacinone)、ブロマジオロン(bromadiolone)、クロロフアシノン(chlorophacinone)、コレカルシフェロール、ワルファリン、リン化亜鉛などがある。殺鳥剤については、活性成分の例として４−アミノピリジンがある。
【００２７】
好ましい殺有害生物剤組成物に使用される不活性成分は、典型的には、水または希釈剤として作用する他の溶媒と、希釈剤として作用し、引き寄せる性質および摂食刺激を提供する食品成分と、希釈剤として作用し、組成物に所望の粘性を提供するうすめ液または増粘剤とを含む。食品成分は、デンプン類および糖類などの炭水化物類、ならびにタンパク質類および脂肪類であってもよい。適切なうすめ液は、たとえば水であってもよく、適切な増粘剤は、たとえばデンプンまたはキサンテンガム(xanthan gum)であってもよい。
【００２８】
いくつかの特に適切なタイプの即使用可能な殺有害生物剤組成物は市販されている。一例として、３３．３％のホウ酸と６６．７％の不活性成分とを含む、ブルー ダイヤモンド エクスターミネイティング アンド マニュファクチャリング カンパニー(Blue Diamond Exterminating and Manufacturing Company)によって製造されたステープルトンズマグネティックローチフード(Stapleton's Magnetic Roach Food)殺有害生物剤がある。別の例として、２％のヒドラメチルノンと９８％の不活性成分とを含む、アメリカン シアナミド カンパニー(American Cyanamid Co.)によって製造されたシージ(Siege)ゲル殺虫剤がある。
【００２９】
他の殺有害生物剤組成物は、パッケージ内に配置する前に、所望の粘性で即時使用可能であるようにすることができる。一例として、マイルズ インコーポレイテッド(Miles Inc.)によって製造され、水、およびキサンテンガムなどの増粘剤で、０．０５〜０．１％のシフルトリン使用濃度および所望の粘性に希釈されたテンポ(Tempo)ＷＰ殺有害生物剤がある。
【００３０】
他の即時使用可能な殺有害生物剤組成物は、パッケージ内に配置する前に、濃くするか、または薄めて所望の粘性にすることができる。一例として、セノレト ケミカル カンパニー インコーポレイテッド(Senoret Chemical Co.，Inc.)によって製造された、５．４０％のソジウムテトラボレートデカヒドレート（四ホウ酸ナトリウム十水化物）(sodium tetraborate decahydrate)（ホウ砂）と９４．６０％の不活性成分とを含み、キサンテンガムで濃くされて所望の粘性にされたテロアントキラー(Terro Ant Killer)殺有害生物剤がある。
【００３１】
また、有害生物にとって十分においしいものである適切なテクスチャーおよび他の特性を有する他の殺有害生物剤組成物を使用してもよい。
【００３２】
柔軟性パッケージ１８は、少なくとも一つの壁によって定められる内室１３に殺有害生物剤組成物１２が入っている。一つの好ましい柔軟性パッケージの内室１３は、好ましくは、既知の態様（たとえばヒートシーリングまたは超音波密封）で周囲２４で密封されて対向壁ならびに端縁２６および２８などの複数の端縁を形成する一対の対向ポリマーフィルムシート２０、２２によって定められる。
【００３３】
シート２０および２２は、好ましくは、ＰＥＴ、ポリエチレン、ポリ塩化ビニル、マイラフォイル(mylar foil)などの金属化ポリマー、他のポリマーなど、および１以上の前記材料を組み合わせた積層品である。また、必要な透過性、強度、柔軟性および耐久性を与える他の材料または材料の組み合わせを使用してもよい。さらに、材料は透明でも不透明でもよい。
【００３４】
柔軟性パッケージ１８は、食品および個人製品などのより低粘性の液体（たとえばケチャップ、マスタードなど）用の一回使用容器に使用されるパッケージングと概念が幾分似ている。しかし、そのようなパッケージングは、即時使用可能な殺有害生物剤組成物などを分配するための有害生物管理の分野では使用されていない。さらに、柔軟性パッケージ１８は、一回の適用量を越える殺有害生物剤組成物を入れることができ、一つのパッケージから複数回の分配操作が行えるので、一回使用パッケージではない。
【００３５】
また、内部に定められた室内に液体またはペースト組成物を入れるための柔軟性パッケージングを構成する他の態様を代わりに用いてもよい。たとえば、周囲を定める「端縁」を２以上の部材の接合部または密封部に形成してもよく、一つのシート自体が重なるか折りたたまれるところにそのような端縁を定めて対向壁を形成してもよい。さらに、パッケージ、たとえば一般に連続的な一つの壁を有するバルーン形パッケージにおいて、はっきりした端縁が容易に定められない場合でも、室を定めてもよい。
【００３６】
さらに、たとえば一つのシートを一つのフィンシームを用いて接合する場合のように、様々な数のシートを使用してもよい。たとえば、図６は、フィンシーム６０で片側に沿って密封され、シーム６２および６４で端部に沿って密封された一つのシート２０'''を有する代替的な殺有害生物剤容器１０'''を示す。また、容器１０'''は、別個の密封部または接合部が多数の部材間に形成される場合だけでなく、一つのフィルムシート自体が端縁２８'''に沿って折りたたまれている場合にも「端縁」を定めてもよいことを示している。接着剤の使用などによって、１以上のシートを接合して柔軟性パッケージを形成する他の態様を用いてもよい。
【００３７】
図１を参照すると、柔軟性パッケージ１８は、好ましくはコーナ３２、たとえば一点に集まる一対の端縁２６、２８の交点に形成された、内室１３に流動的に連通する分配口３０を含む。代わりに、分配口を端縁の一つに沿って配置しても、シート２０、２２のいずれかの任意の位置に配置してもよい。
【００３８】
分配口３０は、好ましくは、使用前は閉じており、容器から材料を分配するために初めて口を開けなければならない。本発明と一致する、分配口３０を開けるいくつかの態様を用いることができる。たとえば、図１に示されているように、たとえばコーナを切るか、ちぎり取ることにより、コーナ３２を除去して口３０を開け、シート２０とシート２２との間に口３０で開口を形成してもよい。口を開けるのを容易にするために、口の近くに予めカットされた１以上のミシン目を含んでもよいことが理解されるであろう。また、たとえば、コーナの近くでシートの一つに穴を形成するかスリットを付けることによって、シートの一つのみに開口を形成してもよいことが理解されるであろう。
【００３９】
さらに、図４に示されているように、開口を覆うために、別個のクロージュア、たとえば殺有害生物剤容器１０”上のクロージュアまたはカバー５０を使用してもよい。カバー５０は、シート２０"、２２"のうちの一つに形成された開口３０"上に配置してもよい。シートの一つにカバー５０を取り外しできるように固定するために接着剤を使用してもよい。また、カバーを取り外す際に操作者の助けとなるようにカバー５０上につまみを設けてもよい。さらに、容器１０"から単にカバーを引き離すだけで完全に取り外さないように、カバーの一部をシートの一つに永続的に固定することも可能だろう。また、他のカバー／クロージュア、および柔軟性パッケージに開口または分配口を形成する他の態様を代わりに用いてもよい。
【００４０】
図１を参照すると、たとえば、コーナ３２を多少切り取ることによって、様々な開口サイズ（または直径）を有する分配口３０を形成してもよい。より低粘性の材料には、したたり落ちるのを少なくし、より個別的な配置を可能にするために、より小さい開口サイズが好ましいであろう。一方、より粘性のある材料には、操作者が材料を分配するのに必要な力を、より快適なレベルに低減させるために、より大きい開口サイズが好ましいであろう。
【００４１】
好ましい容器による分配時の疲労を制限するために、好ましい分配口の直径（たとえば、様々な大きさの円筒状の棒を口に挿入し、口の直径として適合する最大の棒の直径を用いて測定してもよい）は、好ましい範囲の最大の粘性（約１，５２０，０００ｃｐｓ）を有する組成物の場合、約０．３２６インチ（０．８２８ｃｍ）以上であり、より低粘性の材料の場合、より小さい直径が好ましい（たとえば、約７４，７００ｃｐｓ）の粘性を有する組成物の場合、約０．０８５インチ（０．２２ｃｍ）以上の口の直径が好ましい）。粘性と分配口の直径の関係は、以下、実施例ＩＩに関して詳細に説明する。
【００４２】
さらに、約０．３４４インチ（０．８７４ｃｍ）以下の分配口の直径では、製品が十分に個別的に配置されることがわかっている。より大きい直径によって分配される材料は、好ましい容器で容易に扱えるが、よりかさばり、より個別的でない傾向があるだろう。
【００４３】
組成物の粘性、製品の配置の個別性、分配の労力などによって、他の適用において他の口の直径を用い得ることが理解されるであろう。さらに、好ましい容器に使用するのに適している組成物の許容粘性範囲が、単に分配口の大きさを変えるだけで、ここに開示されているものより広くなってもよいことが理解されるであろう。
【００４４】
好ましい容器は、殺有害生物剤組成物の１回の塗布量を分配するための１回使用容器でもよい。より好ましくは、各容器から複数回、塗布量を分配するのに十分な量の殺有害生物剤組成物を容器に入れる。また、殺有害生物剤組成物の一部だけを使用した場合に、後で容器を使用できるように、たとえば、分配口の上で容器の一部を折りたたみ、テープを貼るか、クリップで留めるか、または他の方法で容器を閉じた状態にすることによって、容器を再び閉めることのできるようにしてもよい。
【００４５】
図２は、一般に、容器１０を使用して即時使用可能な殺有害生物剤組成物を分配する好ましい方法を示す。この図に示されているように、容器１０は、好ましくは操作者の手１でつかめる大きさである。容器１０を使用して製品を分配するために、前記のように容器を開けなければならない。次に、操作者が容器１０を手でつかみ、位置合わせをして、殺有害生物剤組成物を塗布すべき殺有害生物剤塗布領域、たとえば表面５の近くに口３０を配置する。塗布領域は、床、コーナ、壁、割れ目、裂け目など、特に、ゴキブリなどの多くの有害生物が集まる暗い場所および／または狭い場所であってもよい。
【００４６】
容器１０から殺有害生物剤組成物を分配するために、操作者は単に手１の手のひらの容器を強く握る。それにより、圧力が発生し、図２の参照符号１２で示されているように、分配口３０を介して塗布領域に殺有害生物剤組成物を押し出す。また、この図に示されているように、操作者の一本の指、たとえば人さし指２の近くに口３０を位置合わせするように容器１０をつかむことにより、殺有害生物剤組成物の制御された塗布を容易にしてもよい。これにより、操作者が非常に制御可能な態様で分配口３０を操作することができ、操作者が容器を強く握りながら、殺有害生物剤組成物を非常に厳密かつ正確に塗布することができる。これは、製品が容器、手袋および衣類に付くことによって、ならびに過度の製品塗布によって、かなりの量の製品がむだになる従来の槽または広口びん容器と対照的である。
【００４７】
パッケージの変形性により、操棒者は、容器をつかみながら、パッケージ内の殺有害生物剤組成物を指で操作して、より多くの組成物が使い尽くされるにつれて組成物を分配口の近くに位置合わせすることができる。実際に、簡単な設計の容器があれば、容器にもともと供給されていた組成物の９５％を越える量を使用することができ、「空の」容器に残る製品の量を最小にすることができると考えられる。残留組成物を備えた使用済みの容器は、容易に捨てることができ、かなりの量のパッケージング材料または殺有害生物剤組成物がむだにならない。したがって、むだが最小になり、容器の費用効果が最大になる。
【００４８】
図３に示されているように、塗布の可制御性を増すために、指、たとえば指２を入れる外部ポケット、ポーチまたはバンドを含むことが望ましいであろう。この図に示されているように、容器１０'は、口３０'の近くで密封され、シート２０'および２２'と接触し、これらのシートと重なっている別個のポリマーフィルムシートから形成される外部ポケットまたはバンド４０を含む。分配時に指２が殺有害生物剤組成物と接触しないようにするために、口３０'からポケットを密封してもよい。代わりに、バンドを形成しているパッケージのコーナをちぎるか、切るか、または他の方法で除去することによって、口３０'を開けると同時にポケットの端部を開けてもよい。さらに、ポケット４０を形成する好ましい態様は、シート２０'および２２'のうちの一つと重なっている付加的なポリマーフィルムシートを設けることであるが、外部ポケットまたはポーチを製造する他の態様を用いてもよいことが理解されるであろう。
【００４９】
図１を参照すると、好ましい柔軟性パッケージ１８は、平行四辺形であり、一点に集まっている一対の端縁２６および２８によってコーナが形成されていることがわかるであろう。可制御性の問題により、端縁２６および２８が９０°未満、たとえば約６０°の角度αを形成することが好ましい。しかし、容器から低流動性ペースト組成物を分配するのに必要な力を最小にするために、十分に大きな角度、たとえば３０°を越える角度を提供することも重要である。
【００５０】
殺有害生物剤組成物の高粘性の結果として、より小さく狭い開口は、口３０から殺有害生物剤組成物を絞り出すのに過度の労力を必要とする傾向がある。また、口の近くに、狭い間隔をあけられた実質的に平行な端縁を有した結果としての「導管」効果を最小にするか、なくすことが好ましい。口３０の近くに導管を形成してもよいが、口を介して殺有害生物剤組成物を押し出すのに必要な労力を最小にするために、導管の端縁を、比較的短くし、互いに比較的広い間隔をあけることが好ましい。
【００５１】
図１の容器１０の周囲２４によって定められる平行四辺形の形状は、保持および分配が簡便であり、操作者の手に比較的うまく適合するので好ましい。また、このタイプの形状を製造することも簡便である。なぜなら、この形状の周囲の対向端縁の一致する角度により、複数のそのような容器を帯状に形成してもよいからである。しかし、直線端縁および／または曲がった端縁を有する無数の他の形状を用いてもよいことが理解されるであろう。いくつかの代替的な形状を図５ａ〜図５ｆに示す。
【００５２】
たとえば、様々な三角形形状、たとえば図５ａに示されている分配口１０５を有する容器１００を用いてもよい。さらに、様々な長方形形状、たとえば図５ｂに示されている口１１５を有する容器１１０を用いてもよい。さらに、様々な台形形状、たとえば図５ｃに示されている口１２５を含む容器１２０を用いてもよい。また、ひし形形状（図５ｄに示されている口１３５を有する容器１３０）および五角形形状（図５ｅに示されている口１４５を有する容器１４０）などの他の形状を用いてもよい。さらに、操作者の手により合うように、様々な曲がった多角形形状、たとえば図５ｆに示されている口１５５を有する容器１５０を用いてもよい。
【００５３】
快適さ、簡便さ、および製造能力に基づいて、様々な大きさおよび形状が好ましいであろう。したがって、本発明と一致する様々な他の形状を用いてもよい。
【００５４】
有害生物管理において、好ましい容器および方法にはいくつかの独自の利点がある。たとえば、好ましい容器は、片手で殺有害生物剤組成物の個別的な量を厳密かつ正確に塗布することができ、様々な適用において、特に暗い場合、および／または割れ目および裂け目に届きにくい場合、比較的容易かつ簡便に殺有害生物剤組成物を塗布できる。また、片手での操作により、他方の手が自由になり、たとえば、バランスを取ったり、懐中電灯を持つことができる。また、好ましい容器は、きれいであり、比較的出っ張らないものである。さらに、容器の設計により、容器を使い果たした時の製品およびパッケージング材料のむだが最小になる。また、好ましい容器は、比較的少ないコストおよび複雑さで、好ましくは使い捨てられるが、必要に応じて再使用可能および再充填可能であってもよい。
【００５５】
したがって、本発明は、従来のディスペンサーよりかなり容易で、より制御可能である即時使用可能な殺有害生物剤組成物を分配するための容器および方法を提供することが理解されるであろう。多数の変更および変形が、本発明の精神および範囲から逸脱することなく、これらの好ましい実施の形態になされてもよい。したがって、本発明は、添付のクレームにある。
【００５６】
下記の実施例は、従来のディスペンサーと比較して優れた、好ましい即時使用可能な殺有害生物剤容器の操作を示す。
【実施例１】
【００５７】
実施例Ｉ
６０°のコーナに形成された約０．１３６インチ（０．３４５ｃｍ）の直径を有する分配口を備えた、平行四辺形の、本発明と一致する好ましい殺有害生物剤容器を構成した。さらに、溜に結合され、０．１３６インチ（０．３４５ｃｍ）の直径の分配口で終端する一つの導管のみを有する、デービスへの米国特許第５，１６９，２５１号明細書に開示されている容器と同様の構成の容器を構成した。
【００５８】
約１６０〜約２，４００，０００ｃｐｓの範囲の粘性（前記の好ましい態様で測定した）を有する様々なテストサンプル材料をこれらの容器に入れた。テスト被験者たちは、各容器の操作の好ましい態様の場合のように、片手で容器をつかみ、その手で容器を強く握ることによって、それぞれの容器から材料を分配しようとした。次に、テスト被験者たちは、（１）各容器から各材料を分配することさえできるかどうか、（２）容器から特定の材料を分配することができるかどうか、その材料を分配することにより疲労するかどうかを決定するために調査した。
【００５９】
「疲労」とは、容器から組成物を分配する場合に、容器を圧縮する間に手を動かさないのが困難であることにより（製品の配置が不正確になる）、または長時間容器に過度の力を加えた結果としての実際の身体的不快さまたは痛みにより、テスト被験者が快適でないと考える労力を必要とする状態を意味する。この例では、疲労は、４時間の連続使用（すなわち、約４時間、住居または施設に殺有害生物剤組成物の個別的な量を分配する通常の態様で容器を使用すること）後に疲労が生じるかどうかというテスト被験者の主観的な判断に基づいていた。組成物の分配により疲労が生じるかどうかは重要である。なぜなら、職業的操作者側の過度の労力により、操作者が、効果的な有害生物管理に必要な殺有害生物剤組成物の量より少なく分配するか、その量を分配することさえできないことが多いからである。同様に、製品の分配に過度の労力を必要とするか、使用しにくければ、居住消費者が製品を好まないだろう。
【００６０】
表Ｉおよび表ＩＩは、それぞれ好ましい容器とデービス型容器の前記テスト手順の比較結果を示す。
【００６１】
【表１】
2006230412.tif 000003
【００６２】
【表２】
2006230412.tif 000004
【００６３】
テストにおいて、好ましい容器は、すべての材料を分配することができた。サンプル１〜４については、材料が柔らかすぎ、容器からしたたり落ちる傾向があることがわかった。もっとも、この状態は、より小さい分配口により改善されるであろう。サンプル１〜８は、操作者が疲労しないで分配することができた。しかし、サンプル９〜１１は、分配しにくいことがわかり、操作者の過度の労力を必要とした。実施例ＩＩ（下記）に示されているように、サンプル９〜１１などのより粘性のあるサンプル材料は、単に容器により大きい分配口を形成するだけで、依然として好ましい容器で分配してもよい。
【００６４】
対照的に、デービスの容器は、サンプル１〜５を分配できただけで、残りのサンプルは被験者が片手で加えることのできる力より過度の力を必要とした。デービスの容器で分配できたサンプルのうち、サンプル２〜４は、材料を分配するのに必要な過度の力により操作者が疲労することがわかった。
【実施例２】
【００６５】
実施例ＩＩ
分配口の大きさを変えることによって好ましい容器がより粘性のある材料を分配できることを示すために、約１０８，０００〜２０，６９３．３３２，０６９，３３３ｃｐｓの範囲の粘性を有するいくつかのテストサンプルを、前記実施例Ｉで使用したのと同様の好ましい殺有害生物剤容器に入れ、特定のテストサンプルについて、ある直径が４時間にわたって疲労を生じないと二人のテスト被験者が見い出すまで、各テストサンプルの分配口の直径を大きくして、容器を開けた。まず、このテストでは、単に分配口の直径を大きくするだけで、好ましい容器でより高粘性の材料を適切に分配できることを示した。また、このテストでは、材料の粘性と疲労のない分配を可能にする口の最小直径との間に一般的な関係があることを示した。
【００６６】
たとえば、各テストサンプルの疲労のない分配をもたらす分配口の最小直径を表ＩＩＩに示す。
【００６７】
【表３】
2006230412.tif 000005
【００６８】
データの回帰は、殺有害生物剤組成物の粘性と分配口の最小直径の下記の関係を示す。
【００６９】
粘性＝（５，９９５，５００ｃｐｓ／インチ）（口の直径）−４３６，２７０ｃｐｓ
ここで、サンプルの相関ｒ＝０．９８７（５，９９５，５００ｃｐｓ／インチ＝２，３６０，４３３ｃｐｓ／ｃｍ）である。
【００７０】
本発明での使用に適している殺有害生物剤組成物のより好ましい範囲（約１，５２０，０００ｃｐｓ以下の粘性）に前記の回帰を適用すると、好ましい組成物の最大粘性のための分配口の最小直径は、約０．３２６インチ（０．８２８ｃｍ）であり、これは個別的な材料の配置をもたらす範囲（約０．３４４インチ（０．８７４ｃｍ）以下）内であった。
【図面の簡単な説明】
【００７１】
【図１】図１は、本発明の原理と一致する好ましい即時使用可能な殺有害生物剤容器の平面図である。
【図２】図２は、図１の容器の使用を示す側面図である。
【図３】図３、本発明の原理と一致する別の殺有害生物剤容器の部分斜視図であり、殺有害生物剤容器に配置された外部ポケットを示す。
【図４】図４は、本発明の原理と一致する別の殺有害生物剤容器の部分底面図であり、容器を開けるための取り外しできるクロージュアを示す。
【図５】図５ａ〜図５ｆは、本発明の原理と一致する付加的な殺有害生物剤容器の平面図であり、いくつかの代替的な形状を示す。図５ａは、三角形の容器を示し、図５ｂは、長方形の容器を示し、図５ｃは、台形の容器を示し、図５ｄは、ひし形の容器を示し、図５ｅは、五角形の容器を示し、図５ｆは、曲がった多角形の容器を示す。
【図６】図６は、本発明の原理と一致する別の殺有害生物剤容器の平面図を示し、一つのフィルムシートがフィンシームで密封されている。
【図１】
2006230412.tif 000006
【図２】
2006230412.tif 000007
【図３】
2006230412.tif 000008
【図４】
2006230412.tif 000009
【図５】
2006230412.tif 000010
【図６】
2006230412.tif 000011
【手続補正書】
【提出日】平成18年4月11日(2006.4.11)
【手続補正１】
【補正対象書類名】特許請求の範囲
【補正対象項目名】全文
【補正方法】変更
【補正の内容】
【特許請求の範囲】
【請求項１】
（ａ）内室を定める少なくとも一つの壁と、内室の周囲に配置された複数の端縁と、内室に流動的に連通する分配口と、外部ポケット、ポーチおよびバンドの少なくとも一つとを含む操作者が手でつかめる大きさの柔軟性パッケージと、
（ｂ）前記柔軟性パッケージの前記内室に配置された、少なくとも２５０ｇｍ／（ｃｍ・ｓｅｃ）（２５，０００ｃｐｓ）の粘性を有し、半固体流動性組成物の形態である即時使用可能な殺有害生物剤組成物とを含む即時使用可能な殺有害生物剤組成物用容器。
【請求項２】
前記柔軟性パッケージが、使い捨てであり、フィンシームおよび端部に添ってヒートシールされた一つのポリマーフィルムシートから形成される請求項１に記載の容器。
【請求項３】
前記柔軟性パッケージが、一点に集まる二つの端縁を含み、前記分配口が、前記二つの端縁の交点近くに形成されている請求項１または２に記載の容器。
【請求項４】
前記柔軟性パッケージが、一点に集まる二つの端縁を含み、前記二つの端縁の交点の近くで前記柔軟性パッケージからコーナを除去することによって前記柔軟性パッケージの前記分配口が開けられる請求項１または２に記載の容器。
【請求項５】
前記殺有害生物剤組成物が、７４７〜１５，２００ｇｍ／（ｃｍ・ｓｅｃ）（７４，７００〜１，５２０，０００ｃｐｓ）の粘性を有する請求項１〜４のいずれかに記載の容器。
【手続補正２】
【補正対象書類名】明細書
【補正対象項目名】全文
【補正方法】変更
【補正の内容】
【発明の詳細な説明】
【技術分野】
【０００１】
発明の分野
本発明は、有害生物管理のために即時使用可能な殺有害生物剤（ｒｅａｄｙ−ｔｏ−ｕｓｅ  ｐｅｓｔｉｃｉｄｅｓ）を分配するための容器に関する。特に、本発明は、濃い粘性半固体流動性組成物の形態である即時使用可能な殺有害生物剤を手で分配するための容器に関する。
【背景技術】
【０００２】
発明の背景
従来の有害生物管理技術は、液体を広い範囲にスプレーすることに依拠しており、殺有害生物剤濃縮物を希釈して液体形態にし、領域にスプレーして有害生物を防除する。しかし、広い範囲のスプレーは、殺有害生物剤を堆積させる特に正確な形態ではなく、過度のスプレー（すなわち、むだな製品）をもたらし、所望のスプレー領域内（外）の製品の配置がより個別的でないことが多い。
【０００３】
多くのこれらの問題に基づいて、有害生物管理技術は、濃縮物の希釈形態の広い範囲のスプレーから、「即使用可能な」殺有害生物剤（たとえば、毒餌、忌避剤、および接触に基づいた殺有害生物剤）のより個別的な配置へ移ろうとしている。望ましい即使用可能な殺有害生物剤は、有害生物管理において効果的であるために、耐久性があり、物理的化学的に安定していなければならない。さらに、殺有害生物剤毒餌は、効果的な有害生物管理のために、有害生物を引き寄せ、有害生物にとっておいしいものでなければならない。
【０００４】
また、即使用可能な殺有害生物剤の分配が正確であり、操作者にとって分配しやすいことも重要である。実際、限られたアクセスで狭い領域、隠れた領域および／または暗い領域（すなわち、「割れ目および裂け目」）への分配を容易にするために、操作者が即使用可能な殺有害生物剤を片手で分配できることが特に望ましい。
【０００５】
いくつかの即使用可能な殺有害生物剤（たとえば、ゲルまたはペースト形態で供給されるもの）は、注入器またはコーキン型銃で分配されている。他の即時使用可能な殺有害生物剤（たとえば、粉末またはダスト形態で供給されるもの）は、チューブ状または球状ディスペンサーで分配されている。しかし、別個のディスペンサーは割れ目および裂け目などに使用しにくいことが多く、有害生物管理システム全体のコストをさらに増す。
【０００６】
また、多くのディスペンサーは、より濃いゲルおよびペーストを分配するのに必要な力により、比較的低粘性の液体殺有害生物剤組成物および粉末殺有害生物剤組成物の分配に限られている。より濃いゲルおよびペーストは、より大きくかさばったディスペンサーを必要とするか、操作者にとって、やっかいで身体的に疲れるものとなるであろう。より大きく強力なディスペンサーは、一般に対費用効果がよくなく、割れ目および裂け目に使用しにくいことが多い。また、より強力なディスペンサーは、分配操作後、しばらく分配が続き、製品がむだになるであろう。
【０００７】
しかし、より濃い半固体流動性組成物で供給される、いくつかの即使用可能な殺有害生物剤は、ゴキブリなどの有害生物にとって、よりおいしいものであるので、より低粘性の液体および粉末よりも効果的であることが多いことがわかっている。たとえば、いくつかの即使用可能な殺有害生物剤は、ペースト形態で利用でき、槽状容器で供給される。即使用可能な殺有害生物剤ペーストは、手袋をはめた手で、またはパテナイフを用いて手で分配される。しかし、即使用可能な殺有害生物剤ペーストをこのように使用すると、汚くなり、操作者の手袋および衣類がかなり汚れることがある。これは、重大な環境および安全問題であり、また顧客には職業的操作者が汚く、あまり優れていないように見えるだろう。さらに、即使用可能な殺有害生物剤ペーストは、個別的に配置しにくく、製品の過度の塗布、槽容器ならびに操作者の手袋および衣類が汚れることにより、かなりの量の製品がむだになることが多い。
【０００８】
従来のディスペンサー、たとえば液体または粉末殺有害生物剤を分配するのに使用されるディスペンサーは、このタイプのペースト組成物を分配するのに適していない。たとえば、デービス(Davis)に付与された米国特許第5,169,251号明細書は、様々な液体または粉末組成物用のディスペンサーに関する。このディスペンサーは、本質的に、操作者の手にはめる手袋であり、操作者の手のひらで強く握られるように配置された包みを含む。粉末材料は、一つの実施の形態の手のひら側の穴を介して分配される。他の実施の形態では、代わりに液体材料を指先に通じている狭い導管を介して分配してもよい。
【０００９】
デービスのディスペンサーで使用できるものとして、液体ならびに粉末殺有害生物剤および忌避剤を含めて、様々な食品製品、個人ケア製品、家庭製品などが挙げられる。これらのタイプのディスペンサーの一つの利点は、片手での操作、および指先の近くに（少なくとも液体材料用の）分配口を配置することにより、比較的個別的に制御して製品を配置できることである。しかし、これらのディスペンサーは、比較的複雑であり、製造しにくく、製造コストがかかるであろう。
【００１０】
さらに、デービスのディスペンサーは、濃い半固体流動性組成物の分配用に設計されていない。デービス特許に示されている導管は、比較的低粘性（たとえば、約２００ｇｍ／（ｃｍ・ｓｅｃ）（２０，０００ｃｐｓ）以下）の液体しか分配できない。デービスのディスペンサーは、濃い半固体流動性組成物を狭い導管を介して分配するのに必要な高圧に耐えるように構成されていない。また、より濃い組成物を狭い導管を介して分配するのに必要な過度の労力から、望まれない操作者の疲労が生じる。
【００１１】
したがって、この技術においては、より効果的な即使用可能な濃い半固体流動性殺有害生物剤組成物を、制御して、個別的に、対費用効果がよいように分配するという正確かつ経済的な態様が実質的に必要である。さらに、この技術においては、容易かつ簡単に用いられる即時使用可能な殺有害生物剤組成物を分配する態様が実質的に必要である。
【特許文献１】米国特許第5,169,251号明細書
【発明の開示】
【発明が解決しようとする課題】
【００１２】
発明の開示
本発明は、即時使用可能な濃い半固体流動性殺有害生物剤組成物を充填した柔軟性パッケージを、手でつかみ、殺有害生物剤塗布領域の近くに位置合わせし、強く握って、柔軟性パッケージの開口を介して殺有害生物剤塗布領域に殺有害生物剤組成物を制御可能であるように押し出す、即時使用可能な殺有害生物剤を分配するための容器を提供することにより、先行技術に付随する前記および他の問題に対処する。
【課題を解決するための手段】
【００１３】
したがって、本発明は、（ａ）内室を定める少なくとも一つの壁と、内室の周囲に配置された複数の端縁と、内室に流動的に連通する分配口と、外部ポケット、ポーチおよびバンドの少なくとも一つとを含む操作者が手でつかめる大きさの柔軟性パッケージと、（ｂ）前記柔軟性パッケージの前記内室に配置された、少なくとも２５０ｇｍ／（ｃｍ・ｓｅｃ）（２５，０００ｃｐｓ）の粘性を有し、半固体流動性組成物の形態である即時使用可能な殺有害生物剤組成物とを含む即時使用可能な殺有害生物剤組成物用容器を提供する。
【００１４】
本発明の好ましい実施の形態で使用される柔軟性パッケージは、対費用効果がよく簡便な容器であり、片手で分配するのに適している。したがって、有害生物が集まる割れ目および裂け目に殺有害生物剤を塗布できる。さらに、操作者が柔軟性パッケージから殺有害生物剤を分配するのに過度の力を必要としないので、操作者が疲れずに、簡単かつ容易な態様で殺有害生物剤を分配することができる。さらに、柔軟性パッケージは、片手で、制御して個別的に製品を配置することができ、好ましい実施の形態において、分配時に製品の位置をよりうまく導くために同じ手の指を使用することができる。
【００１５】
本発明の特徴となる、これらおよび他の利点および特徴は、本件に添えた本件のさらなる部分を構成するクレームに詳述する。しかし、本発明ならびに本発明の使用により達成される目的および利点をよりよく理解するために、図面、および本発明の好ましい実施の形態を説明してある下記の記述事項を参照すべきである。
【００１６】
図面の簡単な説明
図１は、本発明の原理と一致する好ましい即時使用可能な殺有害生物剤容器の平面図である。
図２は、図１の容器の使用を示す側面図である。
図３は、本発明の原理と一致する別の殺有害生物剤容器の部分斜視図であり、殺有害生物剤容器に配置された外部ポケットを示す。
図４は、本発明の原理と一致する別の殺有害生物剤容器の部分底面図であり、容器を開けるための取り外しできるクロージュアを示す。
図５ａ〜図５ｆは、本発明の原理と一致する付加的な殺有害生物剤容器の平面図であり、いくつかの代替的な形状を示す。図５ａは、三角形の容器を示し、図５ｂは、長方形の容器を示し、図５ｃは、台形の容器を示し、図５ｄは、ひし形の容器を示し、図５ｅは、五角形の容器を示し、図５ｆは、曲がった多角形の容器を示す。
図６は、本発明の原理と一致する別の殺有害生物剤容器の平面図を示し、一つのフィルムシートがフィンシームで密封されている。
【発明を実施するための最良の形態】
【００１７】
好ましい実施の形態の詳細な説明
図面について説明すると、いくつかの図を通して同類の部分が同類の番号で示されている。図１は、本発明の原理と一致する即時使用可能な殺有害生物剤用柔軟性容器１０を示す。容器１０は、一般に、柔軟性パッケージ１８内に入っている殺有害生物剤組成物１２を含む。
【００１８】
殺有害生物剤組成物１２は、好ましくは、少なくとも約２５０ｇｍ／（ｃｍ・ｓｅｃ）（２５，０００ｃｐｓ）の粘性を有し、粘性半固体流動性組成物であり、より好ましくは、約７４７〜１５，２００ｇｍ／（ｃｍ・ｓｅｃ）（７４，７００〜１，５２０，０００ｃｐｓ）の粘性を有する濃い粘性半固体流動性組成物である。約７４７〜１５，２００ｇｍ／（ｃｍ・ｓｅｃ）の粘性は、本発明で使用するのに適している、いくつかの市販の殺有害生物剤組成物の粘性範囲である。しかし、以下で説明するように、容器の分配口の大きさを変えることにより、より広い範囲の粘性が好ましい容器で使用するのに適しているであろう。
【００１９】
本発明で使用する殺有害生物剤組成物の粘性を決定するにおいて、以下の手順を行うことが好ましい。３−１／２インチ（８．９ｃｍ）直径ストレートウォールコンテナに２−１／２インチ（６．４ｃｍ）の深さまで殺有害生物剤組成物を加える。ブルックフィールドＤＶ−Ｉ＋ビスコメータ(Brookfield DV-I+Viscometer)に挿入されたブルックフィールドＴバースピンドル（典型的には、粘性の範囲によってＡ、ＣまたはＥスピンドル）を用いて組成物の粘性を測定する。組成物表面下１／４インチ（０．６４ｃｍ）の最初の深さにスピンドルを設定する。
【００２０】
３０秒間に７／１６インチ（１．１１ｃｍ）の組成物へのダイブ速度で、スピンドルを毎分１０回転させながら、組成物をせん断し、粘性を測定する。ダイブは、ブルックフィールドヘリパススタンドモデルＤ(Brookfield Helipath Stand Model D)によって行われる。組成物の粘性は、ブルックフィールドＤＶ−Ｉ＋ビスコメータのディジタルディスプレイに示される。組成物サンプルの粘性は、好ましくは３回測定し、平均値を組成物の粘性として報告する。
【００２１】
殺有害生物剤組成物１２は、好ましくは即時使用可能な組成物である。即時使用可能な殺有害生物剤組成物は、直接塗布に適しており、また、家または他の建物のゴキブリなどの有害生物が集まる領域、特に割れ目および裂け目に使用するのに適している。
【００２２】
前記のように、本発明は、有害生物にとって特においしいものであることがわかっている濃い半固体流動性組成物の分配に関する。したがって、本発明で使用するのに適している組成物は、一般に、適切なテクスチャーおよび粘性、たとえばペースト、ゲル、エマルジョン、懸濁液、ろうなどの形態に調合することができる殺有害生物剤（たとえば、殺虫剤、殺そ剤、殺鳥剤(avicide)など）であってもよい。また、低流動性によって、または乾燥もしくは化学反応後に「開始する」能力によって、殺有害生物剤組成物が表面に塗布された時にその形状を維持できることが好ましい。
【００２３】
本発明で使用するのに適している殺有害生物剤組成物は、典型的には、活性成分または殺作用剤と、適切な引き寄せる性質、耐久性、安定性、おいしさ、粘性などを組成物に提供する不活性成分とを含む。活性成分の例としては、下記の分類の殺虫剤の化合物がある。
【００２４】
１−有機リン酸塩類(organophosphates)、たとえばアセフェート(acephate)、クロルピリフォス(chlorpyrifos)、またはダイアジノン ２−鉱酸類およびそれらの塩類、たとえばホウ酸 ３−カルバメート類(carbamates)、たとえばプロポクサー(propoxur)またはベンジオカーブ(bendiocarb) ４−ピレトロイト類(pyrethroids)、たとえばシフルトリン(cyfluthrin) ５−アミジノヒドラゾン類(amidinohydrazones)、たとえばヒドラメチルノン(hydramethylnon) ６−アベルメクチン類(avermectins)、たとえばアバメクチン(abamectin) ７−塩素化炭化水素類、たとえばリンデン、ならびに前記化合物と既知の共力剤との組み合わせ、たとえばカルバメート類またはピレトロイド類、たとえばベンジオカーブをピペロニルブトキシドと組み合わせてもよい。
【００２５】
殺そ剤については、活性成分の例として、ジファシノン(diphacinone)、ブロマジオロン(bromadiolone)、クロロフアシノン(chlorophacinone)、コレカルシフェロール、ワルファリン、リン化亜鉛などがある。殺鳥剤については、活性成分の例として４−アミノピリジンがある。
【００２６】
好ましい殺有害生物剤組成物に使用される不活性成分は、典型的には、水または希釈剤として作用する他の溶媒と、希釈剤として作用し、引き寄せる性質および摂食刺激を提供する食品成分と、希釈剤として作用し、組成物に所望の粘性を提供するうすめ液または増粘剤とを含む。食品成分は、デンプン類および糖類などの炭水化物類、ならびにタンパク質類および脂肪類であってもよい。適切なうすめ液は、たとえば水であってもよく、適切な増粘剤は、たとえばデンプンまたはキサンテンガム(xanthan gum)であってもよい。
【００２７】
いくつかの特に適切なタイプの即使用可能な殺有害生物剤組成物は市販されている。一例として、３３．３％のホウ酸と６６．７％の不活性成分とを含む、ブルー ダイヤモンド エクスターミネイティング アンド マニュファクチャリング カンパニー(Blue Diamond Exterminating and Manufacturing Company)によって製造されたステープルトンズマグネティックローチフード(Stapleton's Magnetic Roach Food)殺有害生物剤がある。別の例として、２％のヒドラメチルノンと９８％の不活性成分とを含む、アメリカン シアナミド カンパニー(American Cyanamid Co.)によって製造されたシージ(Siege)ゲル殺虫剤がある。
【００２８】
他の殺有害生物剤組成物は、パッケージ内に配置する前に、所望の粘性で即時使用可能であるようにすることができる。一例として、マイルズ インコーポレイテッド(Miles Inc.)によって製造され、水、およびキサンテンガムなどの増粘剤で、０．０５〜０．１％のシフルトリン使用濃度および所望の粘性に希釈されたテンポ(Tempo)ＷＰ殺有害生物剤がある。
【００２９】
他の即時使用可能な殺有害生物剤組成物は、パッケージ内に配置する前に、濃くするか、または薄めて所望の粘性にすることができる。一例として、セノレト ケミカル カンパニー インコーポレイテッド(Senoret Chemical Co.，Inc.)によって製造された、５．４０％のソジウムテトラボレートデカヒドレート（四ホウ酸ナトリウム十水化物）(sodium tetraborate decahydrate)（ホウ砂）と９４．６０％の不活性成分とを含み、キサンテンガムで濃くされて所望の粘性にされたテロアントキラー(Terro Ant Killer)殺有害生物剤がある。
【００３０】
また、有害生物にとって十分においしいものである適切なテクスチャーおよび他の特性を有する他の殺有害生物剤組成物を使用してもよい。
【００３１】
柔軟性パッケージ１８は、少なくとも一つの壁によって定められる内室１３に殺有害生物剤組成物１２が入っている。一つの好ましい柔軟性パッケージの内室１３は、好ましくは、既知の態様（たとえばヒートシーリングまたは超音波密封）で周囲２４で密封されて対向壁ならびに端縁２６および２８などの複数の端縁を形成する一対の対向ポリマーフィルムシート２０、２２によって定められる。
【００３２】
シート２０および２２は、好ましくは、ＰＥＴ、ポリエチレン、ポリ塩化ビニル、マイラフォイル(mylar foil)などの金属化ポリマー、他のポリマーなど、および１以上の前記材料を組み合わせた積層品である。また、必要な透過性、強度、柔軟性および耐久性を与える他の材料または材料の組み合わせを使用してもよい。さらに、材料は透明でも不透明でもよい。
【００３３】
柔軟性パッケージ１８は、食品および個人製品などのより低粘性の液体（たとえばケチャップ、マスタードなど）用の一回使用容器に使用されるパッケージングと概念が幾分似ている。しかし、そのようなパッケージングは、即時使用可能な殺有害生物剤組成物などを分配するための有害生物管理の分野では使用されていない。さらに、柔軟性パッケージ１８は、一回の適用量を越える殺有害生物剤組成物を入れることができ、一つのパッケージから複数回の分配操作が行えるので、一回使用パッケージではない。
【００３４】
また、内部に定められた室内に液体またはペースト組成物を入れるための柔軟性パッケージングを構成する他の態様を代わりに用いてもよい。たとえば、周囲を定める「端縁」を２以上の部材の接合部または密封部に形成してもよく、一つのシート自体が重なるか折りたたまれるところにそのような端縁を定めて対向壁を形成してもよい。さらに、パッケージ、たとえば一般に連続的な一つの壁を有するバルーン形パッケージにおいて、はっきりした端縁が容易に定められない場合でも、室を定めてもよい。
【００３５】
さらに、たとえば一つのシートを一つのフィンシームを用いて接合する場合のように、様々な数のシートを使用してもよい。たとえば、図６は、フィンシーム６０で片側に沿って密封され、シーム６２および６４で端部に沿って密封された一つのシート２０'''を有する代替的な殺有害生物剤容器１０'''を示す。また、容器１０'''は、別個の密封部または接合部が多数の部材間に形成される場合だけでなく、一つのフィルムシート自体が端縁２８'''に沿って折りたたまれている場合にも「端縁」を定めてもよいことを示している。接着剤の使用などによって、１以上のシートを接合して柔軟性パッケージを形成する他の態様を用いてもよい。
【００３６】
図１を参照すると、柔軟性パッケージ１８は、好ましくはコーナ３２、たとえば一点に集まる一対の端縁２６、２８の交点に形成された、内室１３に流動的に連通する分配口３０を含む。代わりに、分配口を端縁の一つに沿って配置しても、シート２０、２２のいずれかの任意の位置に配置してもよい。
【００３７】
分配口３０は、好ましくは、使用前は閉じており、容器から材料を分配するために初めて口を開けなければならない。本発明と一致する、分配口３０を開けるいくつかの態様を用いることができる。たとえば、図１に示されているように、たとえばコーナを切るか、ちぎり取ることにより、コーナ３２を除去して口３０を開け、シート２０とシート２２との間に口３０で開口を形成してもよい。口を開けるのを容易にするために、口の近くに予めカットされた１以上のミシン目を含んでもよいことが理解されるであろう。また、たとえば、コーナの近くでシートの一つに穴を形成するかスリットを付けることによって、シートの一つのみに開口を形成してもよいことが理解されるであろう。
【００３８】
さらに、図４に示されているように、開口を覆うために、別個のクロージュア、たとえば殺有害生物剤容器１０”上のクロージュアまたはカバー５０を使用してもよい。カバー５０は、シート２０"、２２"のうちの一つに形成された開口３０"上に配置してもよい。シートの一つにカバー５０を取り外しできるように固定するために接着剤を使用してもよい。また、カバーを取り外す際に操作者の助けとなるようにカバー５０上につまみを設けてもよい。さらに、容器１０"から単にカバーを引き離すだけで完全に取り外さないように、カバーの一部をシートの一つに永続的に固定することも可能だろう。また、他のカバー／クロージュア、および柔軟性パッケージに開口または分配口を形成する他の態様を代わりに用いてもよい。
【００３９】
図１を参照すると、たとえば、コーナ３２を多少切り取ることによって、様々な開口サイズ（または直径）を有する分配口３０を形成してもよい。より低粘性の材料には、したたり落ちるのを少なくし、より個別的な配置を可能にするために、より小さい開口サイズが好ましいであろう。一方、より粘性のある材料には、操作者が材料を分配するのに必要な力を、より快適なレベルに低減させるために、より大きい開口サイズが好ましいであろう。
【００４０】
好ましい容器による分配時の疲労を制限するために、好ましい分配口の直径（たとえば、様々な大きさの円筒状の棒を口に挿入し、口の直径として適合する最大の棒の直径を用いて測定してもよい）は、好ましい範囲の最大の粘性（約１５，２００ｇｍ／（ｃｍ・ｓｅｃ）（１，５２０，０００ｃｐｓ））を有する組成物の場合、約０．３２６インチ（０．８２８ｃｍ）以上であり、より低粘性の材料の場合、より小さい直径が好ましい（たとえば、約７４７ｇｍ／（ｃｍ・ｓｅｃ）（７４，７００ｃｐｓ）の粘性を有する組成物の場合、約０．０８５インチ（０．２２ｃｍ）以上の口の直径が好ましい）。粘性と分配口の直径の関係は、以下、実施例ＩＩに関して詳細に説明する。
【００４１】
さらに、約０．３４４インチ（０．８７４ｃｍ）以下の分配口の直径では、製品が十分に個別的に配置されることがわかっている。より大きい直径によって分配される材料は、好ましい容器で容易に扱えるが、よりかさばり、より個別的でない傾向があるだろう。
【００４２】
組成物の粘性、製品の配置の個別性、分配の労力などによって、他の適用において他の口の直径を用い得ることが理解されるであろう。さらに、好ましい容器に使用するのに適している組成物の許容粘性範囲が、単に分配口の大きさを変えるだけで、ここに開示されているものより広くなってもよいことが理解されるであろう。
【００４３】
好ましい容器は、殺有害生物剤組成物の１回の塗布量を分配するための１回使用容器でもよい。より好ましくは、各容器から複数回、塗布量を分配するのに十分な量の殺有害生物剤組成物を容器に入れる。また、殺有害生物剤組成物の一部だけを使用した場合に、後で容器を使用できるように、たとえば、分配口の上で容器の一部を折りたたみ、テープを貼るか、クリップで留めるか、または他の方法で容器を閉じた状態にすることによって、容器を再び閉めることのできるようにしてもよい。
【００４４】
図２は、一般に、容器１０を使用して即時使用可能な殺有害生物剤組成物を分配する好ましい方法を示す。この図に示されているように、容器１０は、好ましくは操作者の手１でつかめる大きさである。容器１０を使用して製品を分配するために、前記のように容器を開けなければならない。次に、操作者が容器１０を手でつかみ、位置合わせをして、殺有害生物剤組成物を塗布すべき殺有害生物剤塗布領域、たとえば表面５の近くに口３０を配置する。塗布領域は、床、コーナ、壁、割れ目、裂け目など、特に、ゴキブリなどの多くの有害生物が集まる暗い場所および／または狭い場所であってもよい。
【００４５】
容器１０から殺有害生物剤組成物を分配するために、操作者は単に手１の手のひらの容器を強く握る。それにより、圧力が発生し、図２の参照符号１２で示されているように、分配口３０を介して塗布領域に殺有害生物剤組成物を押し出す。また、この図に示されているように、操作者の一本の指、たとえば人さし指２の近くに口３０を位置合わせするように容器１０をつかむことにより、殺有害生物剤組成物の制御された塗布を容易にしてもよい。これにより、操作者が非常に制御可能な態様で分配口３０を操作することができ、操作者が容器を強く握りながら、殺有害生物剤組成物を非常に厳密かつ正確に塗布することができる。これは、製品が容器、手袋および衣類に付くことによって、ならびに過度の製品塗布によって、かなりの量の製品がむだになる従来の槽または広口びん容器と対照的である。
【００４６】
パッケージの変形性により、操棒者は、容器をつかみながら、パッケージ内の殺有害生物剤組成物を指で操作して、より多くの組成物が使い尽くされるにつれて組成物を分配口の近くに位置合わせすることができる。実際に、簡単な設計の容器があれば、容器にもともと供給されていた組成物の９５％を越える量を使用することができ、「空の」容器に残る製品の量を最小にすることができると考えられる。残留組成物を備えた使用済みの容器は、容易に捨てることができ、かなりの量のパッケージング材料または殺有害生物剤組成物がむだにならない。したがって、むだが最小になり、容器の費用効果が最大になる。
【００４７】
図３に示されているように、塗布の可制御性を増すために、指、たとえば指２を入れる外部ポケット、ポーチまたはバンドを含むことが望ましいであろう。前記外部ポケットは、前記柔軟性パッケージが前記分配口の近くに配置されることが好ましい。また、前記操作者が前記パッケージを手でつかみながら前記手の指をポケット内に入れることができることが好ましい。この図に示されているように、容器１０'は、口３０'の近くで密封され、シート２０'および２２'と接触し、これらのシートと重なっている別個のポリマーフィルムシートから形成される外部ポケットまたはバンド４０を含む。分配時に指２が殺有害生物剤組成物と接触しないようにするために、口３０'からポケットを密封してもよい。代わりに、バンドを形成しているパッケージのコーナをちぎるか、切るか、または他の方法で除去することによって、口３０'を開けると同時にポケットの端部を開けてもよい。さらに、ポケット４０を形成する好ましい態様は、シート２０'および２２'のうちの一つと重なっている付加的なポリマーフィルムシートを設けることであるが、外部ポケットまたはポーチを製造する他の態様を用いてもよいことが理解されるであろう。
【００４８】
図１を参照すると、好ましい柔軟性パッケージ１８は、平行四辺形であり、一点に集まっている一対の端縁２６および２８によってコーナが形成されていることがわかるであろう。可制御性の問題により、端縁２６および２８が９０°未満、たとえば約６０°の角度αを形成することが好ましい。しかし、容器から低流動性ペースト組成物を分配するのに必要な力を最小にするために、十分に大きな角度、たとえば３０°を越える角度を提供することも重要である。
【００４９】
殺有害生物剤組成物の高粘性の結果として、より小さく狭い開口は、口３０から殺有害生物剤組成物を絞り出すのに過度の労力を必要とする傾向がある。また、口の近くに、狭い間隔をあけられた実質的に平行な端縁を有した結果としての「導管」効果を最小にするか、なくすことが好ましい。口３０の近くに導管を形成してもよいが、口を介して殺有害生物剤組成物を押し出すのに必要な労力を最小にするために、導管の端縁を、比較的短くし、互いに比較的広い間隔をあけることが好ましい。
【００５０】
図１の容器１０の周囲２４によって定められる平行四辺形の形状は、保持および分配が簡便であり、操作者の手に比較的うまく適合するので好ましい。また、このタイプの形状を製造することも簡便である。なぜなら、この形状の周囲の対向端縁の一致する角度により、複数のそのような容器を帯状に形成してもよいからである。しかし、直線端縁および／または曲がった端縁を有する無数の他の形状を用いてもよいことが理解されるであろう。いくつかの代替的な形状を図５ａ〜図５ｆに示す。
【００５１】
たとえば、様々な三角形形状、たとえば図５ａに示されている分配口１０５を有する容器１００を用いてもよい。さらに、様々な長方形形状、たとえば図５ｂに示されている口１１５を有する容器１１０を用いてもよい。さらに、様々な台形形状、たとえば図５ｃに示されている口１２５を含む容器１２０を用いてもよい。また、ひし形形状（図５ｄに示されている口１３５を有する容器１３０）および五角形形状（図５ｅに示されている口１４５を有する容器１４０）などの他の形状を用いてもよい。さらに、操作者の手により合うように、様々な曲がった多角形形状、たとえば図５ｆに示されている口１５５を有する容器１５０を用いてもよい。
【００５２】
快適さ、簡便さ、および製造能力に基づいて、様々な大きさおよび形状が好ましいであろう。したがって、本発明と一致する様々な他の形状を用いてもよい。
【００５３】
なお、本発明は、その他の態様として、即時使用可能な殺有害生物剤組成物を分配する方法を含む。この方法は、即時使用可能な殺有害生物剤組成物のための開口を有する柔軟性容器を手でつかむ工程を含み、柔軟性容器には、即時使用可能な殺有害生物剤組成物が入っており、殺有害生物剤組成物が少なくとも約２５，０００ｃｐｓの粘性を有する濃い半固体流動性組成物の形態であり、この方法はさらに、柔軟性容器の開口を殺有害生物剤塗布領域の近くに位置合わせする工程と、柔軟性容器を強く握って開口を介して塗布領域に殺有害生物剤組成物を押し出す工程とを含む。
【００５４】
有害生物管理において、好ましい容器および方法にはいくつかの独自の利点がある。たとえば、好ましい容器は、片手で殺有害生物剤組成物の個別的な量を厳密かつ正確に塗布することができ、様々な適用において、特に暗い場合、および／または割れ目および裂け目に届きにくい場合、比較的容易かつ簡便に殺有害生物剤組成物を塗布できる。また、片手での操作により、他方の手が自由になり、たとえば、バランスを取ったり、懐中電灯を持つことができる。また、好ましい容器は、きれいであり、比較的出っ張らないものである。さらに、容器の設計により、容器を使い果たした時の製品およびパッケージング材料のむだが最小になる。また、好ましい容器は、比較的少ないコストおよび複雑さで、好ましくは使い捨てられるが、必要に応じて再使用可能および再充填可能であってもよい。
【００５５】
したがって、本発明は、従来のディスペンサーよりかなり容易で、より制御可能である即時使用可能な殺有害生物剤組成物を分配するための容器および方法を提供することが理解されるであろう。多数の変更および変形が、本発明の精神および範囲から逸脱することなく、これらの好ましい実施の形態になされてもよい。したがって、本発明は、添付のクレームにある。
【００５６】
下記の実施例は、従来のディスペンサーと比較して優れた、好ましい即時使用可能な殺有害生物剤容器の操作を示す。
【実施例１】
【００５７】
実施例Ｉ
６０°のコーナに形成された約０．１３６インチ（０．３４５ｃｍ）の直径を有する分配口を備えた、平行四辺形の、本発明と一致する好ましい殺有害生物剤容器を構成した。さらに、溜に結合され、０．１３６インチ（０．３４５ｃｍ）の直径の分配口で終端する一つの導管のみを有する、デービスへの米国特許第５，１６９，２５１号明細書に開示されている容器と同様の構成の容器を構成した。
【００５８】
約１．６ｇｍ／（ｃｍ・ｓｅｃ）〜約２４，０００ｇｍ／（ｃｍ・ｓｅｃ）（約１６０ｃｐｓ〜約２，４００，０００ｃｐｓ）の範囲の粘性（前記の好ましい態様で測定した）を有する様々なテストサンプル材料をこれらの容器に入れた。テスト被験者たちは、各容器の操作の好ましい態様の場合のように、片手で容器をつかみ、その手で容器を強く握ることによって、それぞれの容器から材料を分配しようとした。次に、テスト被験者たちは、（１）各容器から各材料を分配することさえできるかどうか、（２）容器から特定の材料を分配することができるかどうか、その材料を分配することにより疲労するかどうかを決定するために調査した。
【００５９】
「疲労」とは、容器から組成物を分配する場合に、容器を圧縮する間に手を動かさないのが困難であることにより（製品の配置が不正確になる）、または長時間容器に過度の力を加えた結果としての実際の身体的不快さまたは痛みにより、テスト被験者が快適でないと考える労力を必要とする状態を意味する。この例では、疲労は、４時間の連続使用（すなわち、約４時間、住居または施設に殺有害生物剤組成物の個別的な量を分配する通常の態様で容器を使用すること）後に疲労が生じるかどうかというテスト被験者の主観的な判断に基づいていた。組成物の分配により疲労が生じるかどうかは重要である。なぜなら、職業的操作者側の過度の労力により、操作者が、効果的な有害生物管理に必要な殺有害生物剤組成物の量より少なく分配するか、その量を分配することさえできないことが多いからである。同様に、製品の分配に過度の労力を必要とするか、使用しにくければ、居住消費者が製品を好まないだろう。
【００６０】
表Ｉおよび表ＩＩは、それぞれ好ましい容器とデービス型容器の前記テスト手順の比較結果を示す。
【００６１】
【表１】
2006230412.tif 000012
【００６２】
【表２】
2006230412.tif 000013
【００６３】
テストにおいて、好ましい容器は、すべての材料を分配することができた。サンプル１〜４については、材料が柔らかすぎ、容器からしたたり落ちる傾向があることがわかった。もっとも、この状態は、より小さい分配口により改善されるであろう。サンプル１〜８は、操作者が疲労しないで分配することができた。しかし、サンプル９〜１１は、分配しにくいことがわかり、操作者の過度の労力を必要とした。実施例ＩＩ（下記）に示されているように、サンプル９〜１１などのより粘性のあるサンプル材料は、単に容器により大きい分配口を形成するだけで、依然として好ましい容器で分配してもよい。
【００６４】
対照的に、デービスの容器は、サンプル１〜５を分配できただけで、残りのサンプルは被験者が片手で加えることのできる力より過度の力を必要とした。デービスの容器で分配できたサンプルのうち、サンプル２〜４は、材料を分配するのに必要な過度の力により操作者が疲労することがわかった。
【実施例２】
【００６５】
実施例ＩＩ
分配口の大きさを変えることによって好ましい容器がより粘性のある材料を分配できることを示すために、約１，０８０ｇｍ／（ｃｍ・ｓｅｃ）〜２０，６９３．３３ｇｍ／（ｃｍ・ｓｅｃ）（１０８，０００〜２，０６９，３３３ｃｐｓ）の範囲の粘性を有するいくつかのテストサンプルを、前記実施例Ｉで使用したのと同様の好ましい殺有害生物剤容器に入れ、特定のテストサンプルについて、ある直径が４時間にわたって疲労を生じないと二人のテスト被験者が見い出すまで、各テストサンプルの分配口の直径を大きくして、容器を開けた。まず、このテストでは、単に分配口の直径を大きくするだけで、好ましい容器でより高粘性の材料を適切に分配できることを示した。また、このテストでは、材料の粘性と疲労のない分配を可能にする口の最小直径との間に一般的な関係があることを示した。
【００６６】
たとえば、各テストサンプルの疲労のない分配をもたらす分配口の最小直径を表ＩＩＩに示す。
【００６７】
【表３】
2006230412.tif 000014
【００６８】
データの回帰は、殺有害生物剤組成物の粘性と分配口の最小直径の下記の関係を示す。
【００６９】
粘性＝（５，９９５，５００ｃｐｓ／インチ）（口の直径）−４３６，２７０ｃｐｓ
ここで、サンプルの相関ｒ＝０．９８７（５，９９５，５００ｃｐｓ／インチ＝２，３６０，４３３ｃｐｓ／ｃｍ）である。
【００７０】
本発明での使用に適している殺有害生物剤組成物のより好ましい範囲（約１５，２００ｇｍ／（ｃｍ・ｓｅｃ）（１，５２０，０００ｃｐｓ）以下の粘性）に前記の回帰を適用すると、好ましい組成物の最大粘性のための分配口の最小直径は、約０．３２６インチ（０．８２８ｃｍ）であり、これは個別的な材料の配置をもたらす範囲（約０．３４４インチ（０．８７４ｃｍ）以下）内であった。
【図面の簡単な説明】
【００７１】
【図１】図１は、本発明の原理と一致する好ましい即時使用可能な殺有害生物剤容器の平面図である。
【図２】図２は、図１の容器の使用を示す側面図である。
【図３】図３、本発明の原理と一致する別の殺有害生物剤容器の部分斜視図であり、殺有害生物剤容器に配置された外部ポケットを示す。
【図４】図４は、本発明の原理と一致する別の殺有害生物剤容器の部分底面図であり、容器を開けるための取り外しできるクロージュアを示す。
【図５】図５ａ〜図５ｆは、本発明の原理と一致する付加的な殺有害生物剤容器の平面図であり、いくつかの代替的な形状を示す。図５ａは、三角形の容器を示し、図５ｂは、長方形の容器を示し、図５ｃは、台形の容器を示し、図５ｄは、ひし形の容器を示し、図５ｅは、五角形の容器を示し、図５ｆは、曲がった多角形の容器を示す。
【図６】図６は、本発明の原理と一致する別の殺有害生物剤容器の平面図を示し、一つのフィルムシートがフィンシームで密封されている。